(57)【要約】      （修正有）【課題】玉カップの周側面を広告表示スペースとして有効的に利用し、これを見る例えば遊技者に対して興味を抱かせて広告効果を増大できるパチンコ玉用カップを提供する。【解決手段】外容器体２と内容器体１０との間に、広告表示体２０を挿入させる収納空間部６を備えた二重構造の玉カップ本体１から成る。外容器体２は、内部を透視可能とする透明素材によって有底筒状に形成し、内容器体１０は、外容器体２内に嵌め入れる嵌め入れ部１１に、外容器体２の開口部上方に位置して折返し状の内外二重壁構造となっている掬い部１２を一体状にして形成する。内容器体１０の開口縁部の係合部１３を外容器体２の開口縁部の係止部４に着脱自在に嵌め合わせ、広告表示体２０には所定内容の広告表示を施す。【選択図】図１
0003169554.tif 000002
【実用新案登録請求の範囲】
【請求項１】
所定数のパチンコ玉を収納保持するパチンコ玉用カップであって、外容器体と内容器体との間に広告表示体が挿入される収納空間部を備えた二重構造の玉カップ本体から成り、外容器体は、内部を透視可能とする透明素材によって有底筒状に形成され、内容器体は、外容器体内に嵌め入れられる嵌め入れ部に、外容器体の開口部上方に位置して折返し状の内外二重壁構造となっている掬い部を一体状にして形成されていて、内容器体の開口縁部の係合部を外容器体の開口縁部の係止部に着脱自在に嵌め合わせ、広告表示体には所定内容の広告表示が施されていることを特徴とするパチンコ玉用カップ。
【請求項２】
玉カップ本体は、平面から見て、後側壁部、左右側壁部それぞれが直線状で、前側壁が前方に突出するように湾曲した略Ｄ字形状を呈している請求項１に記載のパチンコ玉用カップ。
【請求項３】
外容器体の係止部は、外容器体の開口縁部の外側に形成されていて、開口縁部の外側に形成した段部における垂直面部に外方に突出する係止端縁を備えて成り、内容器体の係合部は、折り返し部分の開口縁部の内側に形成されていて、開口縁部の内側に形成した段部における垂直面部に内方に突出して、係止端縁に嵌め込む係合端縁を備えている請求項１または２に記載のパチンコ玉用カップ。
【請求項４】
掬い部は、玉カップ本体の前側壁側に位置する前側部を、同じく後側壁側に位置する後側部に比し、後側部から左右側部を経て次第に高く形成すると共に、前方に突出するように湾曲してある請求項２に記載のパチンコ玉用カップ。
【請求項５】
玉カップ本体の底壁部には、収納したパチンコ玉をその一部で外出させる外容器孔を開穿形成してある請求項１乃至４のいずれかに記載のパチンコ玉用カップ。
【考案の詳細な説明】
【技術分野】
【０００１】
この考案は、パチンコ遊技場等において、パチンコ機から賞球として排出されるパチンコ玉を一時的に保管箱に保管しておくとき、その保管箱から再度の遊技のためにパチンコ玉をパチンコ機の貯留皿等に補充し、戻すとき等にパチンコ玉を掬い上げるパチンコ玉用カップに関する。
【背景技術】
【０００２】
従来から、パチンコ遊技場等ではパチンコ機に投入したパチンコ玉を弾き、盤面に配されている入賞孔に入れることで所定数のパチンコ玉が賞球として排出供給され、それによって遊技を続行しあるいは賞品等と交換する等によって遊興している。遊技中に賞球が大量に得られた場合には、上皿・下皿等の貯留皿から溢れ出るから、それらを取り出して保管箱等に一時的にでも保管収納しておき、遊技球が不足し補充するときには保管箱からパチンコ玉を掬い上げ、パチンコ機に投入している。
【０００３】
この保管箱からパチンコ機への掬い上げ、投入に際し、手指等で直接に掴んで投入するには周囲にこぼれることがあるから、所定容量のカップ状のいわゆる玉カップを使用することでパチンコ機の貯留皿に補充している。
【先行技術文献】
【特許文献】
【０００４】
【特許文献１】特になし
【考案の概要】
【考案が解決しようとする課題】
【０００５】
このような従来の玉カップでは、保管箱からパチンコ玉を掬い上げて貯留皿に補充するときの取り扱いが容易であること、掬い上げるときのパチンコ玉数がある程度一定であること等の機能的面は考慮されてはいる。ただ、この玉カップの大きさは、遊技者の手指等で掴める程度に形成されているものの、材質そのものとしての適宜色彩が施されていたり、例えば遊技場の店舗名等が小さく表示されていたりするに過ぎず、遊技者にとっても興味を惹くものではなかった。
【０００６】
そこでこの考案は上述したような従来存した諸事情に鑑み案出されたもので、その目的は、従来、機能的・実用的側面からしか形状・構造等につき考慮されていなかった点に鑑み、広告表示スペースとしての有効的な利用を図り、これを見る例えば遊技者に対して興味を抱かせて広告効果を増大できるようにし、また広告主・提供者等にとってもその広告効果の増大性を強くアピールできるパチンコ玉用カップを提供することにある。
【課題を解決するための手段】
【０００７】
上述した課題を解決するため、この考案にあっては、所定数のパチンコ玉Ｂを収納保持するパチンコ玉用カップであって、外容器体２と内容器体１０との間に広告表示体２０が挿入される収納空間部６を備えた二重構造の玉カップ本体１から成り、外容器体２は、内部を透視可能とする透明素材によって有底筒状に形成され、内容器体１０は、外容器体２内に嵌め入れられる嵌め入れ部１１に、外容器体２の開口部上方に位置して折返し状の内外二重壁構造となっている掬い部１２を一体状にして形成されていて、内容器体１０の開口縁部の係合部１３を外容器体２の開口縁部の係止部４に着脱自在に嵌め合わせ、広告表示体２０には所定内容の広告表示が施されていることを特徴とする。
玉カップ本体１は、平面から見て、後側壁部、左右側壁部それぞれが直線状で、前側壁が前方に突出するように湾曲した略Ｄ字形状を呈するように構成することができる。
外容器体２の係止部４は、外容器体２の開口縁部の外側に形成されていて、開口縁部の外側に形成した段部における垂直面部に外方に突出する係止端縁５を備えて成り、内容器体１０の係合部１３は、折り返し部分の開口縁部の内側に形成されていて、開口縁部の内側に形成した段部における垂直面部に内方に突出して、係止端縁５に嵌め込む係合端縁１４を備えて構成することができる。
掬い部１２は、玉カップ本体１の前側壁側に位置する前側部を、同じく後側壁側に位置する後側部に比し、後側部から左右側部を経て次第に高く形成すると共に、前方に突出するように湾曲して構成することができる。
玉カップ本体１の底壁部には、収納したパチンコ玉Ｂをその一部で外出させる外容器孔３を開穿形成して構成することができる。
【０００８】
以上のように構成されたこの考案に係るパチンコ玉用カップにあって、外容器体２内に、この外容器体２との間に設定される収納空間部６を形成して内容器体１０が嵌め入れられる二重構造の玉カップ本体１とし、収納空間部６内に広告表示体２０を挿入することで、玉カップ本体１自体を広告媒体として利用させる。
外容器体２と内容器体１０とは、外容器体２の係止部４と内容器体１０の係合部１３との着脱自在な嵌め込みで一体化されて、収納空間部６内に配装した広告表示体２０を収納保持し、また、外容器体２と内容器体１０との相互間の嵌め込みの解除で露呈する収納空間部６内の広告表示体２０を交換等させる。
外容器体２の係止部４と内容器体１０の係合部１３との嵌め合いは、玉カップ本体１の内外方向で相対する係止部４の係止端縁５と係合部１３の係合端縁１４とを強制的に嵌め込ませ、外容器体２と内容器体１０とを一体的にさせる。
内容器体１０の掬い部１２は、玉カップ本体１の前部側で前方に湾曲するように出張り、後部側に比し高くしてあることで、例えば保管箱内のパチンコ玉Ｂの掬い上げ操作、貯留皿等内への補充操作を容易にさせる。
玉カップ本体１の底壁部に開穿形成した外容器孔３は、収納保持したパチンコ玉Ｂをその一部でも外出させることで、例えば玉カップ本体１内で帯電される静電気を外部に、すなわち外部で接する放電物に対して放電させ、安全に使用させる。
【考案の効果】
【０００９】
この考案は以上説明したように構成されているため、パチンコ遊技場等で使用されるパチンコ玉Ｂ掬い用の玉カップ自体に所定内容の広告表示を施すことができ、玉カップ自体を広告媒体として有効に利用でき、これを見る例えば遊技者に対して興味を抱かせ、広告作用を増大でき、また広告主・提供者等にとってもその宣伝効果の存在を強くアピールできる。
【００１０】
すなわち、これはこの考案において、外容器体２と内容器体１０との間に、所定内容の広告表示が施されている広告表示体２０が挿入される収納空間部６を備えた二重構造の玉カップ本体１とし、外容器体２は、内部を透視可能とする透明素材によって有底筒状に形成され、内容器体１０は、外容器体２内に嵌め入れられる嵌め入れ部１１に、外容器体２の開口部上方に位置して折返し状の内外二重壁構造となっている掬い部１２を一体状に形成され、内容器体１０の開口縁部の係合部１３を外容器体２の開口縁部の係止部４に着脱自在に嵌め合わせたからである。これによって、広告表示体２０の広告表示を外容器体２を経てアピールでき、従来では有効活用されなかった玉カップ自体を広告媒体として利用可能にさせる。
【００１１】
また、外容器体２と内容器体１０とは、外容器体２における開口縁部の外側に形成されていて、開口縁部の外側に形成した段部における垂直面部に外方に突出する係止端縁５を備えた係止部４と、内容器体１０における折り返し部分の開口縁部の内側に形成されていて、開口縁部の内側に形成した段部における垂直面部に内方に突出して、係止端縁５に嵌め合う係合端縁１４を備えた係合部１３とを着脱自在に嵌め合わせることで、簡単に一体化でき、収納空間部６内に配装の広告表示体２０をしっかりと収納保持できる。係止端縁５と係合端縁１４との強制的操作にでもよる解除によって、外容器体２と内容器体１０とは分解でき、収納空間部６の開放によって広告表示体２０を交換等できるので、広告表示内容をアップデートなものともでき、時宜に応じた宣伝内容を可能にする。
【００１２】
外容器体２に、嵌め入れ部１１によって嵌め入れる内容器体１０には、外容器体２の開口部上方に位置している掬い部１２を形成してあり、この掬い部１２は玉カップ本体１の前側壁側に位置する前側部を、同じく後側壁側に位置する後側部に比し、後側部から左右側部を経て次第に高く形成すると共に、前方に突出するように湾曲してあるから、例えば保管箱内に溜められているパチンコ玉Ｂを所定数で容易に掬い上げることができるばかりでなく、パチンコ遊技機の貯留皿等内に周囲に散乱させることなく容易に補充することができ、取扱い性に優れる。
【００１３】
玉カップ本体１の底壁部には外容器孔３を開穿形成してあり、この外容器孔３からパチンコ玉Ｂをその一部でも外出させるから、玉カップ本体１の外部にある放電物に容器本体１内のパチンコ玉Ｂを接触させることで静電気を放電でき、遊技者をして安全に使用させることができる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す分解斜視図である。
【図２】同じく断面図である。
【図３】同じく使用状態の斜視図である。
【考案を実施するための形態】
【００１６】
以下、図面を参照してこの考案を実施するための一形態を説明すると、図において示される符号１は玉カップ本体であり、この玉カップ本体１は、外容器体２と内容器体１０とでその間に後述する広告表示体（ＰＯＰ）２０が挿入される所定の空隙幅の収納空間部６を設定形成することで、開口部から底壁部に至るに伴い次第に僅かに窄まる二重容器構造として形成されている。そして、例えばその平面形状は図示のように、後側壁部、左右側壁部それぞれが直線状で、前側壁が前方に突出するように湾曲した略Ｄ字形状を呈しており、手指によって握持可能な程度の大きさとしてあって、前後幅員は例えば５５ｍｍ、左右幅員は例えば８０ｍｍ、高さは例えば１１０ｍｍ程度としてある。この玉カップ本体１自体は、保管箱等から掬い上げるパチンコ玉Ｂが例えば５０個で収納される程度の容量としてあるも、その収納容量、平面形状、大きさ等はこのような図示例に限らないのは勿論である。
【００１７】
外容器体２は、内部を透視可能とする透明素材によって所定肉厚を備えた有底筒状に形成されており、底壁部にはパチンコ玉Ｂの一部でも底壁部外方に外出させるに足る大きさの外容器孔３が例えば円形状にして、また左右方向に沿って計３個にして開穿形成されている。
【００１８】
この外容器体２の開口縁部には、内容器体１０における開口縁部に形成してある係合部１３に着脱自在に嵌め合う係止部４が形成されており、係止部４に対する係合部１３の強制的な嵌め合いによって外容器体２内に内容器体１０が内装状態で挿入固定できるようにしてある。外容器体２における係止部４は、外容器体２の開口縁部の外側に形成されていて、図示のように、開口縁部の外側に形成した段部における垂直面部に外方に突出する係止端縁５を備えて成り、外容器体２の開口縁部の肉厚部分をいわば断面でＬ字状に外側から削がれたような形態を呈する。
【００１９】
一方、内容器体１０は、外容器体２内に嵌め入れられる嵌め入れ部１１と、外容器体２の開口部上方に突出するように位置して、折返し状の内外二重壁構造となっている掬い部１２とから一体状に形成されていると共に、底壁部には外容器体２の底壁部に形成してある外容器孔３に合致する内容器孔１５が開穿形成されている。
【００２０】
内容器体１０の嵌め入れ部１１自体は、外容器体２内に所定の空隙幅を設定させるようにして、外容器体２に比しやや小さくした相似形を呈するように形成されており、外容器体２の周側壁との間には後述する広告表示体２０が挿入される程度の空隙幅員に設定される収納空間部６が形成される。また、内容器体１０が外容器体２内に嵌め入れられたとき、内容器体１０の底壁部は外容器体２の底壁部に当接するようになっている。尚、内容器体１０における底壁部は、場合によっては形成されず、内容器体１０自体を、底壁部がない筒状に形成することも可能であり、形成素材の削減化に役立つ。
【００２１】
掬い部１２は、玉カップ本体１の前側壁側に位置する前側部は、同じく後側壁側に位置する後側部に比し高く（長く）形成されていて、前（外側）方に突出するように湾曲、すなわち湾曲状に前方に出張っていると共に、後側部から左右側部を経て次第に高く（長く）なっていることで、例えば保管箱内のパチンコ玉Ｂを容易に掬い上げられ、また、貯留皿内に容易に補充できるようにしている。この掬い部１２における折返し状の構成は、図示のように内側壁は嵌め入れ部１１に連続していて、折り返された外側壁は下方に至るに伴い次第に僅かにでも外側方に拡開された傾斜壁となっていて、この傾斜壁の下端縁である開口部縁に形成した係合部１３によって外容器体２の係止部４に強制的に嵌め合わせられるようになっている。
【００２２】
この内容器体１０における係合部１３は、折り返し部分の開口縁部の内側に形成されていて、図示のように、開口縁部の内側に形成した段部における垂直面部に内方に突出して、前記係止端縁５に嵌め合う係合端縁１４を備えて成り、内容器体１０の外側に折返し状に形成された外側の開口縁部の肉厚部分をいわば断面でＬ字状に内側から削がれたような形態を呈する。
【００２３】
こうすることで、外容器体２に対し内容器体１０をその嵌め入れ部１１によって挿入すると、内容器体１０の係合部１３が外容器体２の係止部４に至り、玉カップ本体１の内外方向で相対するようになる係合端縁１４が係止端縁５に強制的にでも嵌り込み、内容器体１０は外容器体２内に固定配置される。逆に、係止端縁５に対する係合端縁１４の係合を強制的にでも解除することで、内容器体１０は外容器体２から取り外すことができる。
【００２４】
内容器体１０の底側壁に開穿形成した内容器孔１５は外容器孔３に合致するように配置してあり、内容器孔１５の内縁を、場合によっては外容器孔３の内縁をも例えばパチンコ玉Ｂ外径（外形）に沿うように切削形成することで、外容器孔３から外容器体２外方へのパチンコ玉Ｂの外出が円滑に行えるように配慮すると良い。尚、この内容器孔１５は内容器体１０自体が筒状に形成されることで底壁部がない場合には、もとより、開穿形成されない（図示せず）。
【００２５】
また、外容器体２と内容器体１０との相互間の空隙である収納空間部６内に配装される広告表示体２０は、内容器体１０の周囲を囲繞して覆うよう、例えば外容器体２の高さに相当する幅員を有する帯状にして、例えば所定肉厚の紙片、合成樹脂製フィルム片その他にて形成されており、その表面には所定内容の文字、図柄その他から成る広告表示が施されている。尚、必要があれば、内容器体１０の嵌め入れ部１１を透明素材にて形成し、広告表示体２０の裏面にも所定の広告表示を施すことで、玉カップ本体１の内外両側面によって広告機能を発揮させるようにすることも可能である。
【００２６】
次にこれの使用の一例を説明すると、外容器体２と内容器体１０とを嵌め合わせるに際し、所定内容の広告表示が施されている広告表示体２０を、外容器体２と内容器体１０との間の収納空間部６内に挿入しておく。そして、広告表示体２０が挿入されている玉カップ本体１を、パチンコ玉Ｂを一時的にでも保管するときに使用する保管箱と共に遊技者に渡すものとすれば良い。遊技者は、保管箱からパチンコ玉Ｂを例えば貯留皿等に戻すとき、その広告表示体２０による広告表示を見ることで、各種の広告・宣伝効果を挙げ得るのである。また、広告宣伝内容の変更時では、玉カップ本体１において、外容器体２から内容器体１０を取り外し、広告表示体２０を交換、挿入し、再度、内容器体１０を外容器体２に嵌め入れ、組み立てれば良い。
【符号の説明】
【００２７】
Ｂ…パチンコ玉
１…玉カップ本体                        ２…外容器体
３…外容器孔                            ４…係止部
５…係止端縁                            ６…収納空間部
１０…内容器体                          １１…嵌め入れ部
１２…掬い部                            １３…係合部
１４…係合端縁                          １５…内容器孔
２０…広告表示体
【図１】
0003169554.tif 000003
【図２】
0003169554.tif 000004
【図３】
0003169554.tif 000005